(57)【要約】【課題】空気調和機用の排水ポンプにおいて、ユニット天板等に取り付ける際に、設置工数や、部材数量が少ない場合でも、水平出しが可能とする。【解決手段】ポンプ本体部１０と上部カバー３０とによりモータ部２０を挟持して固定する。上部カバー３０の外周にブラケット３０Ａを形成する。ブッシュ１を保持する。上部カバー３０の上面に２つの当接突起部２，２を設ける。当接突起部２の弾性脚座２２をユニット天板５０に当接させる。ユニット天板５０に固定するブラケット３０Ａ側のブッシュ１の幅寸法よりも、ブラケット３０Ａと２つの当接突起部２，２とを包絡する平面領域の幅寸法を大きくする。【選択図】図１
2018091232.tif 000002
【特許請求の範囲】
【請求項１】
駆動部の上方を覆う上部カバーを備え、上方に位置する取付対象部に対して取り付けられる排水ポンプであって、
前記上部カバーから突出して先端部が前記取付対象部に固定される少なくとも１つのブラケットと、
前記上部カバーから突出して上端部が前記取付対象部に当接する少なくとも１つの当接突起部と、を備え、
前記取付対象部に固定される前記ブラケットの固定部の幅寸法よりも、前記ブラケットの固定部の上面外径と前記当接突起部の上面外径とを結ぶ広い平面領域の前記当接突起部の上面外径の最大距離寸法が大きい
ことを特徴とする排水ポンプ。
【請求項２】
１つまたは２つの前記ブラケットと、少なくとも１つの前記当接突起部とが設けられている
ことを特徴とする請求項１に記載の排水ポンプ。
【請求項３】
前記当接突起部の前記上端部は、前記ブラケットの前記先端部と同一高さ位置、又は、前記ブラケットの前記先端部よりも高い位置に設けられている
ことを特徴とする請求項１または２に記載の排水ポンプ。
【請求項４】
前記当接突起部の前記上端部は、弾性部材で構成されている
ことを特徴とする請求項１乃至３のいずれか一項に記載の排水ポンプ。
【請求項５】
前記当接突起部は、前記上部カバーの上面の範囲内に設けられている
ことを特徴とする請求項１乃至４のいずれか一項に記載の排水ポンプ。
【請求項６】
室内熱交換器、室外熱交換器、絞り装置及び圧縮機を含む冷媒回路を備えた空気調和機であって、
前記室内熱交換器が設けられた室内ユニット内に請求項１乃至５のいずれか一項に記載の排水ポンプを備えたことを特徴とする空気調和機。
【発明の詳細な説明】
【技術分野】
【０００１】
本発明は、空気調和機のドレンパンに溜まった水を排水するための排水ポンプ、この排水ポンプを備えた空気調和機に関する。
【背景技術】
【０００２】
従来、空気調和機用の排水ポンプとして、例えば特開２０１３−１５０９７号公報（特許文献１）に開示されたものがある。この種の排水ポンプは、モータによりポンプ室のインペラを回転することで、ポンプ室下部の吸込み口からドレンパンの水を吸引し、ポンプ室側部の吐出し口から水を外部に排水するものである。また、排水ポンプは、モータ部の上部のケースに設けたユニット取付部（ブラケット）により空気調和機の室内機内部のユニット天板に対し固定される。
【先行技術文献】
【特許文献】
【０００３】
【特許文献１】特開２０１３−１５０９７号公報
【発明の概要】
【発明が解決しようとする課題】
【０００４】
特許文献１のものは、上部カバーに３つのブラケット（ユニット取付部）を備え、この３つのブラケットにより排水ポンプを固定するようにしている。このため、３箇所でネジ等の締結部材で固定する必要があり、設置工数や、部材数量が多くなるという問題がある。
【０００５】
本発明は、モータ部等の駆動部に上部カバーを有するとともに、この上部カバーのブラケットで空気調和機のユニット天板に固定するようにした排水ポンプにおいて、設置工数や、部材数量が少なくてすむ排水ポンプを提供することを課題とする。
【課題を解決するための手段】
【０００６】
請求項１の排水ポンプは、駆動部の上方を覆う上部カバーを備え、上方に位置する取付対象部に対して取り付けられる排水ポンプであって、前記上部カバーから突出して先端部が前記取付対象部に固定される少なくとも１つのブラケットと、前記上部カバーから突出して上端部が前記取付対象部に当接する少なくとも１つの当接突起部と、を備え、前記取付対象部に固定される前記ブラケットの固定部の幅寸法よりも、前記ブラケットの固定部の上面外径と前記当接突起部の上面外径とを結ぶ広い平面領域の前記当接突起部の上面外径の最大距離寸法が大きいことを特徴とする。
【０００７】
請求項２の排水ポンプは、請求項１に記載の排水ポンプであって、１つまたは２つの前記ブラケットと、少なくとも１つの前記当接突起部とが設けられていることを特徴とする。
【０００８】
請求項３の排水ポンプは、請求項１または２に記載の排水ポンプであって、前記当接突起部の前記上端部は、前記ブラケットの前記先端部と同一高さ位置、又は、前記ブラケットの前記先端部よりも高い位置に設けられていることを特徴とする。
【０００９】
請求項４の排水ポンプは、請求項１乃至３のいずれか一項に記載の排水ポンプであって、前記当接突起部の前記上端部は、弾性部材で構成されていることを特徴とする。
【００１０】
請求項５の排水ポンプは、請求項１乃至４のいずれか一項に記載の排水ポンプであって、前記当接突起部は、前記上部カバーの上面の範囲内に設けられている。
ことを特徴とする。
【００１１】
請求項６の空気調和機は、室内熱交換器、室外熱交換器、絞り装置及び圧縮機を含む冷媒回路を備えた空気調和機であって、前記室内熱交換器が設けられた室内ユニット内に請求項１乃至５のいずれか一項に記載の排水ポンプを備えたことを特徴とする。
【発明の効果】
【００１２】
請求項１の排水ポンプによれば、ブラケットの固定部の上面外径と当接突起部の上面外径とを結ぶ広い平面領域内で、最低でも１つずつのブラケット及び当接突起部によってユニット天板等の被取付対象部に取り付けられる。したがって、設置工数や、部材数量が少ない場合でも、水平出しが可能となる。
【００１３】
請求項２の排水ポンプによれば、例えばブラケットが最大２箇所となり、設置工数や部品数量が少なくてよい。
【００１４】
請求項３の排水ポンプによれば、当接突起部の上端部を、ブラケットの先端部よりも高い位置に設けることにより、この当接突起部をユニット天板等（被取付対象部）に押しつけて、確実に固定することができる。
【００１５】
請求項４の排水ポンプによれば、弾性部材によりモータ部等の駆動部の振動の伝達を低減して防振効果が得られる。
【００１６】
請求項５の排水ポンプによれば、当接突起部が上部カバーの上面の範囲内に設けられているので、水平投影面積が小さくなり、設置場所の制約を低減することができる。
【００１７】
請求項６の空気調和機によれば、請求項１乃至５のいずれか一項と同様な効果が得られる。
【図面の簡単な説明】
【００１８】
【図１】本発明の実施形態の排水ポンプの斜視図である。
【図２】実施形態の排水ポンプの側面図である。
【図３】実施形態における弾性部材としてのブッシュを示す図である。
【図４】実施形態におけるブラケットを示す図である。
【図５】実施形態における当接突起部とブッシュとの高さを説明する図である。
【図６】図１の上面から見た概略平面図である。
【図７】実施形態の変形例１の排水ポンプの斜視図である。
【図８】実施形態の変形例１の排水ポンプの側面図である。
【図９】図７の上面から見た概略平面図である。
【図１０】実施形態の変形例２の排水ポンプの斜視図である。
【図１１】実施形態の変形例２の排水ポンプの側面図である。
【図１２】変形例２における当接突起部の高さを説明する図である。
【図１３】図１０の上面から見た概略平面図である。
【図１４】実施形態の変形例３の排水ポンプの斜視図である。
【図１５】実施形態の変形例３の排水ポンプの側面図である。
【図１６】変形例３における当接突起部の高さを説明する図である。
【図１７】変形例３の排水ポンプの一部分解斜視図である。
【図１８】変形例３における弾性脚座の各種実施例を示す図である。
【図１９】変形例３におけるボス部の各種実施例を示す図である。
【図２０】実施形態の変形例４の排水ポンプの斜視図である。
【図２１】実施形態の変形例４の排水ポンプの側面図である。
【図２２】変形例４における当接突起部の高さを説明する図である。
【図２３】図２０の上面から見た概略平面図である。
【図２４】実施形態の変形例５の排水ポンプの斜視図である。
【図２５】実施形態の変形例５の排水ポンプの側面図である。
【図２６】図２４の上面から見た概略平面図である。
【図２７】実施形態の変形例６の排水ポンプの斜視図である。
【図２８】実施形態の変形例６の排水ポンプの側面図である。
【図２９】図２７の上面から見た概略平面図である。
【図３０】本発明の一実施形態に係る空気調和機の概略構成を示す図である。
【発明を実施するための形態】
【００１９】
次に、本発明の排水ポンプの実施形態を図面を参照して説明する。図１は実施形態の排水ポンプの斜視図、図２は同排水ポンプの側面図である。
【００２０】
この排水ポンプは、ポンプ部本体１０、ＤＣブラシレスモータ等からなる「駆動部」としてのモータ部２０と、上部カバー３０とを備えている。ポンプ部本体１０は薄型円筒形のポンプ室ケース１０Ａと円柱形状の蓋ケース１０Ｂとを有している。ポンプ室ケース１０Ａには、空気調和機のドレンパン４０内に配置される吸込み口１０Ａ１と、図示しない排出管が接続される吐出し口１０Ａ２とが形成されている。また、ポンプ室ケース１０Ａの外周の２箇所には嵌合部１０Ａ３形成され、この嵌合部１０Ａ３を蓋ケース１０Ｂの下端部にスナップフィットすることによりポンプ室ケース１０Ａも蓋ケース１０Ｂが固定されている。また、蓋ケース１０Ｂの外周の上部２箇所には取付けアーム１０Ｂ１が形成されている。なお、ポンプ室ケース１０Ａ内には図示しないインペラが配設されている。
【００２１】
モータ部２０は、回路基板やステータを内蔵して樹脂により一体成形さた樹脂モールド部２０１を有している。上部カバー３０は薄型で円形蓋状の形状をしており、その外周にはフック３０１が形成されている。そして、モータ部２０の樹脂モールド部２０１に上部カバー３０が嵌合され、上部カバー３０のフック３０１を蓋ケース１０Ｂの取付けアーム１０Ｂ１に係止することにより、モータ部２０と上部カバー３０が蓋ケース１０Ｂに取り付け固定されている。なお、モータ部２０の駆動軸（出力軸）は蓋ケース１０Ｂ内を通してポンプ室ケース１０Ａ内まで延設され、その端部はポンプ室ケース１０Ａ内のインペラに連結されている。そして、モータ部２０によりインペラを回転することで吸込み口１０Ａ１からドレンパン４０の水を吸引し、吐出し口１０Ａ２から水を外部に排水する。
【００２２】
上部カバー３０の上端の外周寄りで１８０°離間した２箇所には、この上部カバー３０と一体になったブラケット３０Ａ，３０Ａが形成されている。このブラケット３０Ａの上部カバー３０側の基端部には、上部カバー３０の上面に連結される第１リブ３０ａと、上部カバー３０の側面に連結される第２リブ３０ｂとが設けられている。そして、ブラケット３０Ａの先端部には「固定部」としてのゴム製のブッシュ１が嵌合されている。
【００２３】
図３に示すように、ブッシュ１は、上端に第１当接部１１を有するとともに下端に第２当接部１２を有している。また、第１当接部１１と第２当接部１２との中間部に括れ部１３を有している。また、ブッシュ１の中心には、第１当接部１１から第２当接部１２に亘って貫通するネジ孔１４が形成されている。
【００２４】
第１当接部１１は円盤状の締結面部１１ａと円柱状のボス部１１ｂとからなる。また、第２当接部１２は括れ部１３から離れる方向に先細りとなる円錐台状のテーパ部１２ａと、円柱状のボス部１２ｂとからなる。さらに、括れ部１３は、第１当接部１１及び第２当接部１２より小径である。第１当接部１１の締結面部１１ａの径の寸法が高さ寸法（軸Ｌ方向の長さ）より大きくなっている。この径の寸法は高さ寸法の２倍以上がよい。
【００２５】
図４に示すように、ブラケット３０Ａの先端部には、外側に開口した入口部３０ｇとその奥に括れ部１３（被保持部）を装着する装着部３０ｆを備えたＣ型の保持部３０ｃが形成されており、入口部３０ｇの開口幅は、括れ部１３（被保持部）の外径よりも小さくなっており、ブッシュ１の抜け止めの機能を備えている。そして、この保持部３０ｃにブッシュ１の括れ部１３を嵌め込むことにより、ブッシュ１がブラケット３０Ａに保持されている。なお、ここではＣ型を例示したが、入口部に被保持部の外径より狭い抜け止め箇所のあるものであれば良く、Ｃ型に限定されるものではない。
【００２６】
上部カバー３０の上面には、２つのブラケット３０Ａかられ９０°離間した２箇所に当接突起部２，２が設けられている。この当接突起部２，２は、上部カバー３０と一体になったボス部２１と、このボス部２１の上端に設けられボス部２１と別体の「弾性部材」としての弾性脚座２２とで構成されている。弾性脚座２２はゴム製等であり、図５に示すように、この弾性脚座２２の上端面の高さは、自然状態（非取付時）で、ブッシュ１（第１当接部１１）の上面より高くなっている。
【００２７】
また、図６は、図１の上面から見た概略平面図であり、図６に二点鎖線で示すように、ブラケット３０Ａのブッシュ１の締結面部１１ａの外径と当接突起部２の上面外径とを結ぶ広い平面領域Ｅを有している。そして、ユニット天板５０に固定されるブラケット３０Ａのブッシュ１の締結面部１１ａの幅寸法（外径）Ｄよりも、この平面領域Ｅの当接突起部２，２の上面外径の最大距離寸法Ｆが大きくなっている。
【００２８】
以上の構成により、当該排水ポンプを室内ユニットに取り付けるとき、ブッシュ１の第１当接部１１の締結面部１１ａがユニット天板５０に当接される。また、当接突起部２，２の弾性脚座２２がユニット天板５０に当接される。そして、排水ポンプは、締結面部１１ａと弾性脚座２２とをユニット天板５０に当接させた状態で、ネジＮをネジ孔１４を貫通させてネジ止めすることにより、ユニット天板５０に固定される。前記図５に示すように、自然状態（非取付時）では弾性脚座２２の上端面の高さは第１当接部１１の上面より高くなっているが、上記のようにユニット天板５０に固定した状態では、弾性脚座２２の弾性変形により、この弾性脚座２２の上端面の高さと第１当接部１１の上面の高さは同一となる。
【００２９】
以上のように、実施形態の排水ポンプは、モータ部２０の上方を覆う上部カバー３０を備え、上方に位置するユニット天板５０に対して取り付けられる。また、上部カバー３０から突出して先端部がユニット天板５０に固定される少なくとも１つのブラケット３０Ａと、上部カバー３０から突出して上端部がユニット天板５０に当接する少なくとも１つの当接突起部２と、を備えている。そして、前記図６に示すように、ユニット天板５０に固定されるブラケット３０Ａのブッシュ１の幅寸法Ｄよりも、ブラケット３０Ａのブッシュ１の上面外径と当接突起部２の上面外径とを結ぶ広い平面領域Ｅの当接突起部２の上面外径の最大距離寸法が大きくなっている。
【００３０】
このように、排水ポンプは、弾性部材であるブッシュ１を介してユニット天板５０に固定されるので、モータ部２０の振動の伝達を低減して防振効果が得られる。そして、この実施形態では、前記図６に示すように、広い平面領域Ｅ内で２つのブラケット３０Ａ（及びブッシュ１）と、２つの当接突起部２とによってユニット天板５０に取り付けられるので、３つのブラケットにより固定する従来の固定方法に比べ設置工数や、部材数量が少ない場合でも、水平出しが可能となる。なお、ブラケット３０Ａと当接突起部２は最低でも１つずつでもよく、この場合、設置工数や部品数量がより少なくてよい。
【００３１】
また、当接突起部２の上端部を、ブラケット３０Ａ側の締結面部１１ａ（先端部）よりも高い位置に設けられているので、当接突起部２をユニット天板５０に押し付けることで、当接突起部２を潰しつつ取り付けるので、固定強度が増し、確実に固定することができる。また、当接突起部２が上部カバー３０の上面の範囲内に設けられているので、水平投影面積が小さくなり、設置場所の制約を低減することができる。
【００３２】
また、ブッシュ１がブラケット３０Ａとは別体であり、このブッシュ１がブラケット３０に保持される構造になっているので、例えば特許文献１のように二色成型等の処理を必要としない。また、ブッシュ１の括れ部１３が第１当接部１１及び第２当接部１２より小径であるので、ブッシュ１が軸方向に抜けることがなく、保持力を確保することができる。また、第１当接部１１の径寸法が大きいので、ネジＮで締め付けても締結面部１１ａの面圧が小さく、第１当接部１１が潰れにくい。したがって、所定の高さに取り付けることが可能となるとともに、耐久性を確保できる。
【００３３】
また、排水ポンプのユニット天板５０への取付状態で、ネジＮのネジ頭が第２当接部１２のテーパ部１２ａに当接し、このテーパ部１２ａが潰されることにより、第２当接部１２のブラケット３０Ａに対する面圧が大きくなり、取付強度が向上する。また、ブッシュ１の括れ部１３がブラケット３０ＡのＣ型の保持部３０ｃで保持されるので、横方向に抜けにくく、保持力を確保することができる。また、ブラケット３０Ａには第１リブ３０ａと第２リブ３０ｂとが設けられているので、このブラケット３０Ａの強度を確保できる。
【００３４】
図７は実施形態の変形例１の排水ポンプの斜視図、図８は変形例１の排水ポンプの側面図である。なお、以下の変形例において、前記実施形態と同様な要素には図１乃至図５と同符号を付記して重複する説明は適宜省略する。
【００３５】
この変形例１では、実施形態における２箇所の当接突起部２，２に代えて、上部カバー３０に円弧状の当接突起部３を形成したものである。この当接突起部３は、上部カバー３０と一体になった横長のボス部３１と、このボス部３１の上端に設けられボス部２１と別体の弾性脚座３２とで構成されている。弾性脚座３２はゴム製等であり、実施形態と同様に、弾性脚座３２の上端面の高さは、自然状態（非取付時）で、ブッシュ１（第１当接部１１）の上面より高くなっている。
【００３６】
この変形例１では、当該排水ポンプを室内ユニットに取り付けるとき、ブッシュ１の第１当接部１１の締結面部１１ａと当接突起部３がユニット天板５０に当接される。そして、ネジＮをネジ孔１４を貫通させてネジ止めすることにより、ユニット天板５０に固定される。
【００３７】
また、図９は、図７の上面から見た概略平面図であり、図９に二点鎖線で示すように、ブラケット３０Ａのブッシュ１の締結面部１１ａの外径と当接突起部３の上面外径とを結ぶ広い平面領域Ｅ１を有している。そして、ユニット天板５０に固定されるブラケット３０Ａのブッシュ１の締結面部１１ａの幅寸法（外径）Ｄよりも、この平面領域Ｅ１の当接突起部３の上面外径の最大距離寸法Ｆ１が大きくなっている。したがって、この変形例１でも、２つのブッシュ１，１の上面外径と横長の円弧状の当接突起部３の上面外径とを結ぶ広い平面領域Ｅ１を有しており、設置工数や、部材数量が少ない場合でも、水平出しが可能となる。
【００３８】
図１０は実施形態の変形例２の排水ポンプの斜視図、図１１は変形例２の排水ポンプの側面図である。この変形例２では、実施形態におけるブッシュ１を無くし、このブッシュ１の第１当接部１１の厚み分だけ高くしたブラケット３０Ｂ，３０Ｂを上部カバー３０に形成している。ブラケット３０Ｂは「先端部」及び「固定部」として外側に延びる水平な締結面部３０ｄを有しており、この締結面部３０ｄにはネジ孔３０ｅが形成されている。また、この変形例２では、上部カバー３０と一体になった２つの当接突起部４，４を設けている。図１２（Ａ）に示すように、当接突起部４の高さはブラケット３０Ｂの締結面部３０ｄと同一となっている。なお、図１２（Ｂ）のように、当接突起部４の高さはブラケット３０Ｂの締結面部３０ｄより僅かに高くなっていてもよい。
【００３９】
そして、この変形例２では、当該排水ポンプを室内ユニットに取り付けるとき、ブラケット３０Ｂの締結面部３０ｄと、当接突起部４がユニット天板５０に当接される。そして、ネジＮをネジ孔３０ｅを貫通させてネジ止めすることにより、ユニット天板５０に固定される。
【００４０】
また、図１３は、図１０の上面から見た概略平面図であり、図１３に二点鎖線で示すように、ブラケット３０Ｂの締結面部３０ｄの外径と当接突起部４の上面外径とを結ぶ広い平面領域Ｅ２を有している。そして、ユニット天板５０に固定されるブラケット３０Ｂの締結面部３０ｄの幅寸法（外径）Ｄ１よりも、この平面領域Ｅ２の当接突起部４の上面外径の最大距離寸法Ｆ２が大きくなっている。したがって、この変形例２でも、２つの締結面部３０ｄ，３０ｄの上面外径と２つの当接突起部４，４の上面外径とを結ぶ広い平面領域Ｅ２を有しており、設置工数や、部材数量が少ない場合でも、水平出しが可能となる。
【００４１】
図１４は実施形態の変形例３の排水ポンプの斜視図、図１５は変形例３の排水ポンプの側面図である。この変形例３では、変形例２の２つの当接突起部４，４に代えて、上部カバー３０に２つの当接突起部５，５を設けたものである。この当接突起部５，５は、上部カバー３０と一体になったボス部５１と、このボス部５１の上端に設けられボス部５１と別体の「弾性部材」としての弾性脚座５２とで構成されている。弾性脚座５２はゴム製等であり、図１６に示すように、この弾性脚座５２の上端面の高さは、自然状態（非取付時）で、ブラケット３０Ｂの締結面部３０ｄ（先端部）の上面より高くなっている。
【００４２】
図１７は変形例３の排水ポンプの一部分解斜視図である。この変形例３の当接突起部５は、ボス部５１の嵌合孔５１ａ内に、弾性脚座５２の嵌合凸部５２ａを嵌合することにより、弾性脚座５２がボス部５１に取り付けられている。図１８は弾性脚座５２の各種実施例を示す図、図１９はボス部５１の各種実施例を示す図である。図１８（Ａ）の弾性脚座５２は嵌合凸部５２ａに突条を形成したもの、図１８（Ｂ）の弾性脚座５２は嵌合凸部５２ａに溝を形成したもの、図１８（Ｃ）の弾性脚座５２は嵌合凸部５２ａを六角柱にしたもの、図１８（Ｄ）の弾性脚座５２は嵌合凸部５２ａを楕円柱にしたもの、図１８（Ｅ）の弾性脚座５２は嵌合凸部５２ａを中空にしたものである。図１９（Ａ）のボス部５１は嵌合孔５１ａに突条を形成したもの、図１９（Ｂ）のボス部５１は嵌合孔５１ａに溝を形成したもの、図１９（Ｃ）のボス部５１は嵌合孔５１ａを六角柱状にしたもの、図１９（Ｄ）のボス部５１は嵌合孔５１ａを楕円柱状にしたものである。
【００４３】
この変形例３でも、当該排水ポンプを室内ユニットに取り付けるとき、ブラケット３０Ｂの締結面部３０ｄと、当接突起部５の弾性脚座５２がユニット天板５０に当接される。そして、ネジＮをネジ孔３０ｅを貫通させてネジ止めすることにより、ユニット天板５０に固定される。この変形例３でも、変形例２（図１３）と同様に、２つの締結面部３０ｄ，３０ｄの上面外径と２つの当接突起部５，５の上面外径とを結ぶ広い平面領域を有しており、設置工数や、部材数量が少ない場合でも、水平出しが可能となる。
【００４４】
図２０は実施形態の変形例４の排水ポンプの斜視図、図２１は変形例４の排水ポンプの側面図である。この変形例４では、変形例２の２つの当接突起部４，４に代えて、上部カバー３０の中央に１つ当接突起部６を設けたものである。また、２つのブラケット３０Ｂ，３０Ｂの位置を、上部カバー３０の直径方向の線上から偏在させるようにしている。すなわち、一方のブラケット３０Ｂを、他方のブラケット３０Ｂと当接突起部６を通る直線上から外した位置に形成したものである。例えば当接突起部６回りに３０°程度上記直線上から外れている。また、当接突起部６は、上部カバー３０と一体になったボス部６１と、このボス部６１の上端に設けられボス部６１と別体の「弾性部材」としての弾性脚座６２とで構成されている。弾性脚座６２はゴム製等であり、図２２に示すように、この弾性脚座６２の上端面の高さは、自然状態（非取付時）で、ブラケット３０Ｂの締結面部３０ｄ（先端部）の上面より高くなっている。
【００４５】
この変形例４でも、当該排水ポンプを室内ユニットに取り付けるとき、ブラケット３０Ｂの締結面部３０ｄと、当接突起部６の弾性脚座６２がユニット天板５０に当接される。そして、ネジＮをネジ孔３０ｅを貫通させてネジ止めすることにより、ユニット天板５０に固定される。
【００４６】
また、図２３は、図２０の上面から見た概略平面図であり、図２３に二点鎖線で示すように、ブラケット３０Ｂの締結面部３０ｄの外径と当接突起部６の上面外径とを結ぶ広い平面領域Ｅ３を有している。そして、ユニット天板５０に固定されるブラケット３０Ｂの締結面部３０ｄの幅寸法（外径）Ｄ１よりも、この平面領域Ｅ３の当接突起部６の上面外径の最大距離寸法Ｆ３が大きくなっている。したがって、この変形例４でも、２つの締結面部３０ｄ，３０ｄの上面外径と１つの当接突起部６の上面外径とを結ぶ広い平面領域Ｅ３を有しており、設置工数や、部材数量が少ない場合でも、水平出しが可能となる。
【００４７】
図２４は実施形態の変形例５の排水ポンプの斜視図、図２５は変形例５の排水ポンプの側面図である。この変形例５では、前記実施形態の変形であり、ブラケット３０Ａとブッシュ１とを一組とし、２つ当接突起部２，２の位置を、上部カバー３０の直径方向の線上から偏在させるようにしている。この当接突起部２，２の構成は実施形態と同様であり、弾性脚座２２はゴム製等である。また、弾性脚座２２の上端面の高さは、自然状態（非取付時）で、ブッシュ１（第１当接部１１）の上面より高くなっている。
【００４８】
この変形例５でも、当該排水ポンプを室内ユニットに取り付けるとき、ブッシュ１の第１当接部１１の締結面部１１ａがユニット天板５０に当接される。また、当接突起部２，２の弾性脚座２２がユニット天板５０に当接される。そして、ネジＮをネジ孔１４を貫通させてネジ止めすることにより、ユニット天板５０に固定される。
【００４９】
また、図２６は、図２４の上面から見た概略平面図であり、図２６に二点鎖線で示すように、ブラケット３０Ａのブッシュ１の締結面部１１ａの外径と当接突起部２の上面外径とを結ぶ広い平面領域Ｅ４を有している。そして、ユニット天板５０に固定されるブラケット３０Ａの締結面部１１ａの幅寸法（外径）Ｄよりも、この平面領域Ｅ４の当接突起部２，２の上面外径の最大距離寸法Ｆ４が大きくなっている。したがって、この変形例５でも、１つの締結面部１１ａの上面外径と２つの当接突起部２，２の上面外径とを結ぶ広い平面領域Ｅ４を有しており、設置工数や、部材数量が少ない場合でも、水平出しが可能となる。
【００５０】
図２７は実施形態の変形例６の排水ポンプの斜視図、図２８は変形例６の排水ポンプの側面図である。この変形例６では、実施形態におけるブラケット３０Ａとブッシュ１とを一組とし、２箇所の当接突起部２，２に代えて、上部カバー３０に上部カバー３０と一体になった長円状状の当接突起部７を形成したものである。当接突起部７の上面の高さは、自然状態（非取付時）で、ブッシュ１（第１当接部１１）の上面より僅かに低くなっている。
【００５１】
この変形例６では、当該排水ポンプを室内ユニットに取り付けるとき、ブッシュ１の第１当接部１１の締結面部１１ａと当接突起部７がユニット天板５０に当接される。そして、ネジＮをネジ孔１４を貫通させてネジ止めすることにより、ユニット天板５０に固定される。この変形例６では、取り付け状態で、ブッシュ１が弾性変形することにより、このブッシュ１の締結面部１１ａの高さが当接突起部７の上面の高さと同一となる。
【００５２】
また、図２９は、図２７の上面から見た概略平面図であり、図２９に二点鎖線で示すように、ブラケット３０Ａのブッシュ１の締結面部１１ａの外径と当接突起部７の上面外径とを結ぶ広い平面領域Ｅ５を有している。そして、ユニット天板５０に固定されるブラケット３０Ａの締結面部１１ａの幅寸法（外径）Ｄよりも、この平面領域Ｅ４の当接突起部７の上面外径の最大距離寸法Ｆ５が大きくなっている。したがって、この変形例６でも、１つの締結面部１１ａの上面外径と１つの当接突起部７の上面外径とを結ぶ広い平面領域Ｅ５を有しており、設置工数や、部材数量が少ない場合でも、水平出しが可能となる。
【００５３】
以下に、本発明の一実施形態に係る空気調和機について、図３０を参照して説明する。図３０は本発明の一実施形態に係る空気調和機の概略構成を示す図である。この空気調和機は、例えば、家屋や商業施設などに設けられるエアコン等として用いられる。
【００５４】
この空気調和機は、室内熱交換器１１０と、室外熱交換器１２０と、絞り装置１３０と、圧縮機１４０と、流路切換弁１５０とを含む冷凍サイクルを備えている。室内熱交換器１１０は室内ユニット２００内に設けられ、室外熱交換器１２０と、絞り装置１３０と、圧縮機１４０と、流路切換弁１５０は、室外ユニット３００内に設けられている。
【００５５】
空気調和機の冷凍サイクルの流路は流路切換弁１５０により「冷房モード」および「暖房モード」の２通りの流路に切換えられる。冷房モードでは、図３０に実線の矢印で示すように、圧縮機１４０で圧縮された冷媒は流路切換弁１５０から室外熱交換器１２０に流入され、絞り装置１３０に流入される。そして、この絞り装置１３０で冷媒が膨張され、室内熱交換器１１０に流入される。この室内熱交換器１１０に流入された冷媒は、流路切換弁１５０を介して圧縮機１４０に流入される。一方、暖房モードでは、図３０に破線の矢印で示すように、圧縮機１４０で圧縮された冷媒は流路切換弁１５０から室内熱交換器１１０に流入され、絞り装置１３０に流入される。そして、この絞り装置１３０で冷媒が膨張され、室外熱交換器１２０、流路切換弁１５０、圧縮機１４０の順に循環される。
【００５６】
冷房モードでは、室外熱交換器１２０が凝縮器として機能し、室内熱交換器１１０が蒸発器として機能し、室内の冷房がなされる。また、暖房モードでは、室外熱交換器１２０が蒸発器として機能し、室内熱交換器１１０が凝縮器として機能し、室内の暖房がなされる。
【００５７】
室内ユニット２００は、室内熱交換器１１０の下方にドレンパン４０を備えるとともに、前記実施形態、変形例１乃至変形例６の排水ポンプ１００が天板５０に取り付けられ、この排水ポンプ１００を制御する制御装置２１０を備えている。排水ポンプ１００の吸込み管部１０Ａ１はドレンパン４０内に配置され、インペラの回転により、吸込み管部１０Ａ１からドレンパン４０に溜まったドレン水を吸引し、吸引したドレン水を吐出し口１０Ａ２から吐出する。この吐出し口１０Ａ２には排出管が接続されており、室内ユニット２００（空気調和機）から離れた位置に排水される。
【００５８】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
【符号の説明】
【００５９】
１      ブッシュ（固定部）
１１ａ  締結面部
２      当接突起部
２１    ボス部
２２    弾性脚座（弾性部材）
３      当接突起部
３１    ボス部
３２    弾性脚座
３      当接突起部
３１    ボス部
３２    弾性脚座（弾性部材）
４      当接突起部
５      当接突起部
５１    ボス部
５２    弾性脚座（弾性部材）
６      当接突起部
６１    ボス部
６２    弾性脚座（弾性部材）
７      当接突起部
１０    ポンプ部本体
２０    モータ部（駆動部）
３０    上部カバー
３０Ａ  ブラケット
３０Ｂ  ブラケット
３０ｄ  締結面部（先端部，固定部）
３０ｅ  ネジ孔
３０ｆ  装着部
３０ｇ  入口部
５０    ユニット天板
１００  排水ポンプ
１１０  室内熱交換器
１２０  室外熱交換器
１３０  絞り装置
１４０  圧縮機
１５０  流路切換弁
Ｅ      平面領域
Ｅ１    平面領域
Ｅ２    平面領域
Ｅ３    平面領域
Ｅ４    平面領域
Ｅ５    平面領域
【図１】
2018091232.tif 000003
【図２】
2018091232.tif 000004
【図３】
2018091232.tif 000005
【図４】
2018091232.tif 000006
【図５】
2018091232.tif 000007
【図６】
2018091232.tif 000008
【図７】
2018091232.tif 000009
【図８】
2018091232.tif 000010
【図９】
2018091232.tif 000011
【図１０】
2018091232.tif 000012
【図１１】
2018091232.tif 000013
【図１２】
2018091232.tif 000014
【図１３】
2018091232.tif 000015
【図１４】
2018091232.tif 000016
【図１５】
2018091232.tif 000017
【図１６】
2018091232.tif 000018
【図１７】
2018091232.tif 000019
【図１８】
2018091232.tif 000020
【図１９】
2018091232.tif 000021
【図２０】
2018091232.tif 000022
【図２１】
2018091232.tif 000023
【図２２】
2018091232.tif 000024
【図２３】
2018091232.tif 000025
【図２４】
2018091232.tif 000026
【図２５】
2018091232.tif 000027
【図２６】
2018091232.tif 000028
【図２７】
2018091232.tif 000029
【図２８】
2018091232.tif 000030
【図２９】
2018091232.tif 000031
【図３０】
2018091232.tif 000032